(57)【特許請求の範囲】
【請求項１】
誘電体及び磁性体材料中いずれか一つを含んで直方体に形成されるベースブロックと、
前記ベースブロックの一部を螺旋状に巻き回すように設けられるために、側面電極と、前記側面電極に連結される上部電極及び下部電極から成り、前記上部電極及び下部電極に各々折曲部が設けられる１次導体ラインと、前記１次導体ラインの内部に当該１次導体ラインと並列連結されるよう設けられる２次導体ラインとから成る導体パターンと、
前記導体パターンに連結される接地端子及び給電端子と、
前記１次導体ライン及び接地端子の間に連結されてインピーダンスを調節するベースブロック上端部に設けられるインピーダンス調節電極とを備え、
前記１次導体ラインと２次導体ラインによって二つの独立した近接共振周波数が形成されバンド幅を増加させることを特徴とするチップアンテナ。
【請求項２】
前記導体パターンの１次導体ラインに設けられる折曲部は、実質的に９０度の方向に折り曲がることを特徴とする請求項１記載のチップアンテナ。
【請求項３】
前記側面電極は、前記ベースブロックの上部及び下部面に対して垂直に設けられることを特徴とする請求項１記載のチップアンテナ。
【請求項４】
前記上部電極及び下部電極は、両端部が各々側面電極に連結された「Ｌ」字形に設けられることを特徴とする請求項１記載のチップアンテナ。
【請求項５】
前記ベースブロックの内側に設けられる２次導体ラインは、垂直に折り曲がったメアンダーライン形状またはヘリカル形状に設けられることを特徴とする請求項１記載のチップアンテナ。
【請求項６】
前記１次導体ラインは、前記誘電体ブロックの外側を包むよう巻き回されて成ることを特徴とする請求項１記載のチップアンテナ。
【請求項７】
前記２次導体ラインは、前記螺旋状に巻き回された１次導体ライン内側に位置するよう設けられることを特徴とする請求項１記載のチップアンテナ.
【請求項８】
前記１次導体ラインは、前記上部電極及び前記下部電極中いずれか一つが前記誘電体ブロックの内側に設けられることを特徴とする請求項１記載のチップアンテナ。
【請求項９】
前記接地端子及び前記給電端子は、前記導体パターンの一端から延長されて並列連結され、前記ベースブロックのいずれか一方の側面に設けられることを特徴とする請求項１記載のチップアンテナ。
【請求項１０】
前記給電端子は、前記導体パターンの一端から前記ベースブロックの上面、側面及び下面に延長されて前記ベースブロックの一部を包むように設けられることを特徴とする請求項９記載のチップアンテナ。
【請求項１１】
前記接地端子は、前記導体パターンの一端から前記ベースブロックの上面、側面及び下面に延長されて前記ベースブロックの一部を包むように設けられることを特徴とする請求項９記載のチップアンテナ。
【請求項１２】
前記接地端子は前記ベースブロックの端部に隣接するよう設けられ、前記給電端子は前記導体パターンと前記接地端子の間に設けられることを特徴とする請求項９記載のチップアンテナ。
【発明の詳細な説明】
【０００１】
【発明の属する技術分野】
本発明は移動通信用端末機及びＬＡＮ(Ｌｏｃａｌ Ａｒｅａ Ｎｅｔｗｏｒｋ)などに用いられるチップアンテナに関するものとして、特に、誘電体及び磁性体材料から成る直方体のベースブロックに各々独立した１、２次導体ラインから成る導体パターンを設けることにより、アンテナの小型化及びアンテナ単一周波数でのバンド幅を向上できるようにしたチップアンテナに関するものである。
【０００２】
【従来の技術】
一般に知られている移動通信用機器は、携帯電話本体と、該携帯電話本体の上部に突設される棒型アンテナとから成り電波の送受信に用いられ、前記アンテナの共振周波数はアンテナを構成する伝導体の全長から決定される。
【０００３】
しかし、前記の如き移動通信機器用アンテナは、アンテナが外部に突出しており、移動通信機器の小型化に逆行するという欠点がある。
【０００４】
一方、前記の如き欠点を改善するためのチップアンテナの構成においては図８に示す如く、誘電体材料から成る基体６０１と、前記基体６０１の内部及び表面にヘリカル形状を成しながら二重の導体ラインが平行に配列される導体６０２及び前記導体６０２に電圧を印加するよう前記基体６０１の表面に設けられる給電端子６０３を備え、前記導体６０２は一つの導体ラインと、他の導体ラインは逆転部６０２ａにより相互連結する構成から成る。これにより、前記導体６０２の全長を増加させることなく、前記導体６０２とグラウンドとの対向面積を向上させ静電容量値を増加させてバンド幅を広めるのである。
【０００５】
【発明が解決しようとする課題】
ところで、前記の如き従来のアンテナは、バンドの拡大幅が大きくなく、平行な導体ラインの間の距離によりアンテナ特性に大きな差が生じるために信頼性を低下させてしまうという欠点を抱えている。
【０００６】
前記の如き従来の諸問題を改善するために、本発明の目的は、アンテナ特性の変化を来すことなくアンテナの小型化を図れるチップアンテナを提供することである。
【０００７】
更に、本発明の他の目的は、各々の共振周波数を有すチップアンテナ導体ラインの共振周波数を近接させ、単一周波数でバンド幅を向上させて広帯域化を可能にするチップアンテナを提供することである。
【０００８】
【課題を解決するための手段】
前記目的を成し遂げるために、本発明は、相互対向する上面と下面及び前記上、下面の間の側面から成り、誘電体及び磁性体材料中いずれか一つを含んで形成されるベースブロックと、前記ベースブロックの一部に設けられる逆Ｆ字形の１次導体ライン、および前記ベースブロックの一部に設けられる逆Ｌ字形の２次導体ラインを含み、前記１次導体ライン及び前記２次導体ラインは互いに並列連結されることを要旨とする。従って、アンテナ特性の変化を来すことなくアンテナの小型化を図れる。前記ベースブロックは、直方体で成ることを要旨とする。前記１次導体ラインは、前記ベースブロックの長手方向に延長される導体パターンと、前記導体パターンの一側に連結される給電端子および前記導体パターンの他側に連結される接地端子を含むことを要旨とする。前記２次導体ラインは、前記１次導体ラインの給電端子の一部分に連結され、前記ベースブロックの長手方向に延長されて設けられることを要旨とする。
【０００９】
また、前記目的を成し遂げるために、本発明は、誘電体及び磁性体材料中いずれか一つを含んで直方体に形成されるベースブロックと、前記ベースブロックの少なくとも一部を螺旋状に巻き回すように設けられる側面電極と上、下部電極が設けられ、前記上、下部電極に折曲部を設ける１次導体ラインと、前記１次導体ラインと並列連結されるようベースブロック内側に内部電極が設けられる２次導体ラインとから成る導体パターンと、前記導体パターンに連結されるようベースブロックの外側面に設けられる接地端子及び給電端子と、前記１次導体ライン及び接地端子の間に連結されてインピーダンスを調節するようベースブロック外側面に設けられるインピーダンス調節電極とを含んで成ることを要旨とする。従って、アンテナ特性の変化を来すことなくアンテナの小型化を図れる。前記導体パターンの１次導体ラインに設けられる折曲部は、実質的に９０度の方向に折り曲がることを要旨とする。前記側面電極は、前記ベースブロックの上部及び下部面に対して垂直に設けられることを要旨とする。前記上部電極及び下部電極は、両端部が各々側面電極に連結された「Ｌ」字形に設けられることを要旨とする。前記ベースブロックの内側に設けられる２次導体ラインは、垂直に折り曲がったメアンダーライン形状またはヘリカル形状に設けられることを要旨とする。前記１次導体ラインは、前記誘電体ブロックの外側を包むよう巻き回されて成ることを要旨とする。前記２次導体ラインは、前記螺旋状に巻き回された１次導体ライン内側に位置するよう設けられることを要旨とする。前記１次導体ラインは、前記上部電極及び前記下部電極中いずれか一つが前記誘電体ブロックの内側に設けられることを要旨とする。前記２次導体ラインは、前記１次導体ラインの外側に設けられることを要旨とする。前記接地端子及び前記給電端子は、前記導体パターンの一端から延長されて並列連結され、前記ベースブロックのいずれか一方の側面に設けられることを要旨とする。前記給電端子は、前記導体パターンの一端から前記ベースブロックの上面、側面及び下面に延長されて前記ベースブロックの一部を包むように設けられることを要旨とする。前記接地端子は、前記導体パターンの一端から前記ベースブロックの上面、側面及び下面に延長されて前記ベースブロックの一部を包むように設けられることを要旨とする。前記接地端子は前記ベースブロックの端部に隣接するよう設けられ、前記給電端子は前記導体パターンと前記接地端子の間に設けられることを要旨とする。
【００１０】
更に、前記目的を成し遂げるために、本発明は、誘電体及び磁性体材料中いずれか一つを含んで直方体に形成されるベースブロックと、前記ベースブロックの少なくとも一部を螺旋状に巻き回すよう設けられる側面電極と、前記側面電極に連結される上部電極及び下部電極とから成り、前記上部電極及び下部電極に各々折曲部を設ける１次導体ラインと、前記１次導体ラインと並列連結され、前記１次導体ラインの下側に位置するようベースブロックの下部内側に設けられる２次導体ラインとから成る導体パターンと、前記導体パターンに連結される接地端子及び給電端子、及び前記１次導体ライン及び接地端子の間に連結されインピーダンスを調節するよう前記ベースブロックの上端部に設けられるインピーダンス調節電極とを含んで成ることを要旨とする。従って、各々の共振周波数を有すチップアンテナ導体ラインの共振周波数を近接させ、単一周波数でバンド幅を向上させて広帯域化を可能にする。
【００１１】
また、前記目的を成し遂げるために、本発明は、誘電体及び磁性体材料中いずれか一つを含んで直方体に形成されるベースブロックと、前記ベースブロックの幅方向に横設され、メアンダーライン状の逆Ｆ字形１次導体ラインと、前記１次導体ラインと並列連結されながら、前記ベースブロックの下部内側に設けられる逆Ｌ字形２次導体ラインとから成る導体パターンと、前記導体パターンに連結される接地端子及び給電端子、および前記１次導体ライン及び接地端子の間に連結されインピーダンスを調節するようベースブロックの上端部に設けられるインピーダンス調節電極を含んで成ることを要旨とする。従って、各々の共振周波数を有すチップアンテナ導体ラインの共振周波数を近接させ、単一周波数でバンド幅を向上させて広帯域化を可能にする。前記１次導体ラインには、電極が実質的に９０度の方向へ折り曲がる折曲部が設けられることを要旨とする。
【００１２】
更に、前記目的を成し遂げるために、本発明は、誘電体及び磁性体材料中いずれか一つを含んで直方体に形成されるベースブロックと、前記ベースブロックに設けられる平板形１次導体ラインと、前記１次導体ラインと並列連結される平板形２次導体ラインとから成り、前記１次導体ラインは前記ベースブロックの幅方向に横設されるよう平板形状にし、前記２次導体ラインは前記１次導体ラインと並列連結されながら、前記１次導体ラインの下側に位置するよう前記ベースブロックの下部内側に設けられる導体パターンと、前記導体パターンに連結される接地端子及び給電端子、および前記１次導体ライン及び接地端子の間に連結されてインピーダンスを調節するよう前記ベースブロックの上端部に設けられるインピーダンス調節電極を含んで成ることを要旨とする。従って、各々の共振周波数を有すチップアンテナ導体ラインの共振周波数を近接させ、単一周波数でバンド幅を向上させて広帯域化を可能にする。
【００１３】
また、前記目的を成し遂げるために、本発明は、誘電体及び磁性体材料中いずれか一つを含んで直方体に形成するベースブロックと、前記ベースブロックに設けられるスロット形状の１次導体ラインと、前記１次導体ラインと並列連結されるスロット形状の２次導体ラインとから成り、前記１次導体ラインは前記ベースブロックの幅方向に横設され、前記２次導体ラインは前記１次導体ラインと並列連結されながら前記１次導体ラインの下側に位置するようベースブロックの下側内側に設けられる導体パターンと、前記導体パターンに連結される接地端子及び給電端子、および前記１次導体ライン及び接地端子の間に連結されインピーダンスを調節するよう前記ベースブロックの上端部に設けられるインピーダンス調節電極を含んで成ることを要旨とする。従って、各々の共振周波数を有すチップアンテナ導体ラインの共振周波数を近接させ、単一周波数でバンド幅を向上させて広帯域化を可能にする。
【００１４】
【発明の実施の形態】
以下、添付した図面に基づき本発明の実施の形態を詳細に説明すれば次のとおりである。図１及び図２に示した本発明のチップアンテナは、ベースブロック（基体）１００と導体パターン１１０及び前記導体パターン１１０に連結されるようベースブロック１００に設けられる接地端子１６０、給電端子１７０、インピーダンス調節電極１８０とから成る。
【００１５】
前記ベースブロック１００は、相互対向する上面と下面及び前記上面と下面の間の側面から成り、誘電体または磁性体材料中いずれか一つを含んで形成されるか、誘電体または磁性体材料中いずれか一つを含んで直方体に形成される。
【００１６】
前記ベースブロック１００に設けられる導体パターン１１０は、逆Ｆ字形の１次導体ライン１１０ａと前記逆Ｆ字形の１次導体ライン１１０ａに並列連結される２次導体ライン１１０ｂとから成り、この際、前記２次導体ライン１１０ｂは逆Ｌ字形に設けることもできる。
【００１７】
前記逆Ｆ字形の１次導体ライン１１０ａは、前記ベースブロック１００の幅方向両側に対向するよう設けられる複数の側面電極１２０と、前記側面電極１２０に連結される上、下部電極１３０とから成り、前記ベースブロック１００の外側面を包むよう螺旋状で巻き回され、前記上、下部電極１３０は一側に実質的に９０度の方向へ折り曲がる折曲部１４０が形成されている。
【００１８】
更に、前記２次導体ライン１１０ｂは、前記１次導体ライン１１０ａと並列に連結される内部電極１５０がベースブロック１００の内側に設けられている。また、前記２次導体ライン１１０ｂは、１次導体ライン１１０ａの給電端子１７０の一部分に連結され、前記ベースブロック１００の長手方向に延長されるよう設けられている。この際、前記内部電極１５０の形状は、ヘリカル（螺旋）、垂直に折り曲がるメアンダーライン形（meander line:三日月形、円錐形）、線形および平板形の中から選択して用いられる。
【００１９】
前記導体パターン１１０と連結されるよう接地端子１６０及び給電端子１７０とアンテナ固定端子１９０が、ベースブロック１００の外側端部にそれぞれ設けられ、前記１次導体ライン１１０ａは前記ベースブロック１００の長手方向に延長される導体パターン１１０と、前記導体パターン１１０の一側及び他側にそれぞれ連結される給電端子１７０及び接地端子１６０を含む。
【００２０】
前記逆Ｆ字形の１次導体ライン１１０ａ及び接地端子１６０の間に連結されるインピーダンス調節端子１８０は、前記ベースブロック１００の上部一側端に１次導体ライン１１０ａと連結されて一定の面積を有するような構成から成る。
【００２１】
このような構成を有する本発明の作用及び効果を説明すれば次のとおりである。図１ないし図３に示した如く本発明のチップアンテナは、誘電体又は磁性体材料中いずれか一つを含み、直方体のベースブロック１００に導体パターン１１０を設けた後、前記導体パターン１１０に連結されるよう接地端子１６０と給電端子１７０及びアンテナ固定端子１９０を設ければチップアンテナが完成する。
【００２２】
そして、前記導体パターン１１０と接地端子１６０との間には、所定の面積を占めるインピーダンス調節端子１８０が設けられ、前記インピーダンス調節端子１８０を一部除去する場合、その面積が調節されてアンテナのインピーダンスマッチングを調節できるようにする。
【００２３】
前記導体パターン１１０を成す逆Ｆ字形の１次導体ライン１１０ａは、スクリーン印刷やディッピング工程などによりベースブロック１００表面に設けられ、前記１次導体ライン１１０ａはベースブロック１００の外側面を螺旋状に巻き回す形態に印刷される。
【００２４】
更に、前記１次導体ライン１１０ａの内側に並列連結されるよう逆Ｌ字形の２次導体ライン１１０ｂを設けると、図３（Ａ）及び（Ｂ）に示した如く、前記１、２次導体ライン１１０ａ、１１０ｂにより二つの独立した近接共振周波数が形成されてバンド幅が２倍以上に増加するようになる。
【００２５】
一方、図４は本発明の他の実施の形態によるチップアンテナの導体パターン２１０を示した図面として、チップアンテナのベースブロック２００は、誘電体または磁性体材料中いずれか一つを含んで直方体に形成される。
【００２６】
前記ベースブロック２００に設けられる導体パターン２１０は、逆Ｆ字形の１次導体ライン２１０ａと前記１次導体ライン２１０ａに並列連結される逆Ｌ字形の２次導体ライン２１０ｂとから成り、前記１次導体ライン２１０ａは、前記ベースブロック２００の幅方向両側に対向するよう設けられる複数の側面電極２２０と、前記側面電極２２０に連結される上、下部電極２３０とから成りベースブロック２００の外側上部一側を包むよう螺旋状に巻き回され、前記上、下部電極２３０には、一側に実質的に９０度の方向に折り曲がる折曲部２４０が設けられている。
【００２７】
前記２次導体ライン２１０ｂは、前記１次導体ライン２１０ａに並列連結されながら、前記１次導体ライン２１０ａの下側に位置されようベースブロック２００の下部内側に内部電極２５０を設ける。この際、前記内部電極２５０の形状は、ヘリカル、垂直に折り曲がったメアンダーライン形、線形及び平板形の中から選択的に用いられる。
【００２８】
前記導体パターン２１０と連結されるよう接地端子２６０、給電端子２７０、アンテナ固定端子２９０は、前記ベースブロック２００の外側端部に各々設けられている。
【００２９】
前記１次導体ライン２１０ａ及び接地端子２１０ｂの間に連結されるインピーダンス調節端子２８０は、前記ベースブロック２００の上部一側端で１次導体ライン２１０ａに連結されて一定面積を占める構成から成る。
【００３０】
これにより、前記１次導体ライン２１０ａと２次導体ライン２１０ｂとが並列連結され、前記２次導体ライン２１０ｂが１次導体ライン２１０ａの下部に位置されても、前記図３（Ａ）及び（Ｂ）のグラフにおけるような、本発明の一実施の形態と同一の効果を奏する。
【００３１】
更に、前記２次導体ライン２１０ｂは、前記１次導体ライン２１０ａに並列連結されながら１次導体ライン２１０ａの下側に位置されるよう前記ベースブロック２００の下部内側に内部電極２５０を設け、前記１、２次導体ライン２１０ａ、２１０ｂは、各々独立した導体ラインを成し各々の共振周波数を有するようになる。続いて、前記導体パターン２１０が連結される接地端子２６０は、前記ベースブロック２００の表面でその面積が自由に調整され、インピーダンスマッチングを自由に調節できるのである。
【００３２】
他方、図５は本発明の第３の実施の形態によるチップアンテナの導体パターン３１０を示した図面として、チップアンテナのベースブロック３００は、誘電体または磁性体材料中いずれか一つを含んで直方体に形成される。
【００３３】
前記ベースブロック３００に設けられる導体パターン３１０は、逆Ｆ字形メアンダーライン形の１次導体ライン３１０ａと、前記１次導体ライン３１０ａと並列連結される逆Ｌ字形の２次導体ライン３１０ｂとから成り、前記１次導体ライン３１０ａは前記ベースブロック３００の幅方向へ横設されるようメアンダーライン形を成し、１次導体ライン３１０ａの電極が実質的に９０度の方向に折り曲がる折曲部３４０が形成される。
【００３４】
前記２次導体ライン３１０ｂは、前記１次導体ライン３１０ａと並列連結されながら、前記１次導体ライン３１０ａの下側に位置するようになる。この際、前記２次導体ライン３１０ｂから成る内部電極３５０の形状は、ヘリカル、垂直に折り曲がったメアンダーライン形、線形および平板形の中から選択的に用いられる。
【００３５】
更に、前記導体パターン３１０と連結されるように接地端子３６０、給電端子３７０、アンテナ固定端子３９０は前記ベースブロック３００の外側端部にそれぞれ連結される。前記１次導体ライン３１０ａ及び接地端子３６０の間に連結されるインピーダンス調節端子３８０は、前記ベースブロック３００の上部一側端に１次導体ライン３１０ａと連結され一定の面積を占める構成から成る。
【００３６】
これにより、前記１次導体ライン３１０ａと前記２次導体ライン３１０ｂとが並列連結され、前記２次導体ライン１０ｂが１次導体ライン３１０ａの下部に位置されても、前記図３（Ａ）及び（Ｂ）のグラフにおけるような、本発明の一実施の形態と同一の効果を奏することになる。
【００３７】
さらに、図６は本発明の第４の実施の形態によるチップアンテナの導体パターン４１０を示した図面として、チップアンテナのベースブロック４００は誘電体または磁性体材料中いずれか一つを含んで直方体に形成される。
【００３８】
前記ベースブロック４００に設けられる導体パターン４１０は、逆Ｆ字形の平板形１次導体ライン４１０ａと、前記１次導体パターン４１０ａと並列連結される逆Ｌ字形の平板形２次導体ライン４１０ｂとから成り、前記１次導体ライン４１０ａは前記ベースブロック４００の幅方向に平板形で横設される。
【００３９】
そして、前記２次導体ライン４１０ｂは、前記１次導体ライン４１０ａと並列連結されながら、前記１次導体ライン４１０ａの下側に位置するようになる。この際、前記２次導体ライン４１０ｂから成る内部電極４５０の形状は、前記実施の形態と同様、平板形は勿論、ヘリカル、垂直に折り曲がったメアンダーライン形、線形の中から選択的に用いられる。
【００４０】
前記２次導体ライン４１０ｂは、前記１次導体ライン４１０ａと並列連結されながら１次導体ライン４１０ａの下側に位置されるよう、前記ベースブロック４００の下部内側に内部電極４５０を設け、前記１、２次導体ライン４１０ａ、４１０ｂはそれぞれ独立した導体ラインを成してそれぞれの共振周波数を有するようになる。続いて、前記導体パターン４１０が連結される接地端子４６０は、前記ベースブロック４００の表面でその面積を自由に調整し、インピーダンスマッチングを自由に調節することができる。
【００４１】
図７は本発明の第５の実施の形態によるチップアンテナの導体パターン５１０を示した図面として、チップアンテナのベースブロック５００は誘電体または磁性体材料中いずれか一つを含んで直方体に形成される。
【００４２】
前記ベースブロック５００に設けられる導体パターン５１０は、スロット形状の１次導体ライン５１０ａと、前記１次導体ライン５１０ａと並列連結されるスロット形状の２次導体ライン５１０ｂとから成り、前記１次導体ライン５１０ａは前記ベースブロック５００の幅方向に横設される。
【００４３】
前記２次導体ライン５１０ｂは、前記１次導体ライン５１０ａと並列連結されながら、前記１次導体ライン５１０ａの下側に位置するようになる。この際、前記２次導体ライン５１０ｂから成る内部電極５５０の形状は前記実施の形態と同様、スロット形状の平板形は勿論、ヘリカル、垂直に折り曲がったメアンダーライン形、線形の中から選択的に用いられる。
【００４４】
更に、前記２次導体ライン５１０ｂは、前記１次導体ライン５１０ａと並列連結されながら１次導体ライン５１０ａの下側に位置されるよう、前記ベースブロック５００の下部内側に内部電極５５０を設け、前記１、２次導体ライン５１０ａ、５１０ｂはそれぞれ独立した導体ラインを成しそれぞれの共振周波数を有すようになる。続いて、前記導体パターン５１０が連結される接地端子５６０は、前記ベースブロック５００の表面でその面積を自由に調整し、インピーダンスマッチングを自由に調節することができる。
【００４５】
【発明の効果】
以上の如き本発明のチップアンテナによると、アンテナの特性変化を来すことなくアンテナの小型化を図れ、チップアンテナの各々の共振周波数を有する導体ラインを近接させ、単一周波数でバンド幅を向上させて広帯域化を可能にするという優れた効果を奏する。なお、本発明は特定な実施の形態に係り図示、説明したが、前述の特許請求の範囲により提供される本発明の精神や分野を外れない範囲内において本発明が多様に改良及び変化され得ることを当業界において通常の知識を有する者であれば容易に想到することを明らかにしておく。
【図面の簡単な説明】
【図１】本発明によるチップアンテナを示した斜視図である。
【図２】本発明によるチップアンテナの導体パターンを示した斜視図である。
【図３】（Ａ）及び（Ｂ）は各々本発明によるチップアンテナの特性曲線を示したグラフである。
【図４】本発明の第２の実施の形態によるチップアンテナの積層状態を示した斜視図である。
【図５】本発明の第３の実施の形態によるチップアンテナの導体パターンを示した図面である。
【図６】本発明の第４の実施の形態によるチップアンテナの導体パターンを示した図面である。
【図７】本発明の第５の実施の形態によるチップアンテナの導体パターンを示した図面である。
【図８】従来のチップアンテナを各々示した外観斜視図である。
【符号の説明】
１００、２００、３００、４００、５００  ベースブロック
１１０、２１０、３１０、４１０、５１０  導体パターン
１１０ａ、２１０ａ、３１０ａ、４１０ａ、５１０ａ  １次導体ライン
１１０ｂ、２１０ｂ、３１０ｂ、４１０ｂ、５１０ｂ  ２次導体ライン
１５０、２５０、３５０、４５０、５５０  内部電極
１６０、２６０、３６０、４６０、５６０  接地端子
【図１】
0004090728.tif 000002
【図２】
0004090728.tif 000003
【図３】
0004090728.tif 000004
【図４】
0004090728.tif 000005
【図５】
0004090728.tif 000006
【図６】
0004090728.tif 000007
【図７】
0004090728.tif 000008
【図８】
0004090728.tif 000009